(57)【要約】  円周方向の間隙によって分離された端部を有する複数の半円形状円周方向リブセットがそこから発出している軸方向スパインを含み、各リブセットは軸方向の間隙によって分離されている、食い込んだ組織から除去するように構成された血管グラフト保護具。【選択図】図３
2020526363.tif 000002
【特許請求の範囲】
【請求項１】
血管グラフト保護具であって、
軸方向スパインから発出している複数のセットの半円形状円周方向主要リブによって画定された中空円筒体であって、
各主要リブセットは円周方向の間隙によって分離された第１および第２の端部を有する、中空円筒体
を含む、血管グラフト保護具。
【請求項２】
隣接する主要リブを分離する軸方向の間隙をさらに含む、請求項１に記載の血管グラフト保護具。
【請求項３】
隣接する主要リブセットを分離する軸方向の間隙は前記主要リブの幅の約０．５倍と約３倍との間の軸方向長さを有する、請求項２に記載の血管グラフト保護具。
【請求項４】
前記グラフト保護具の各端部に終端リブセットであって、各終端リブセットは主要リブの幅よりも大きい幅を有する終端リブセットをさらに含む、請求項２に記載の血管グラフト保護具。
【請求項５】
メスをガイドするように構成された、前記軸方向スパインの長さに沿ったガイドチャネルをさらに含む、請求項１に記載の血管グラフト保護具。
【請求項６】
前記グラフト保護具の端部間に位置する少なくとも１つの終端リブセットであって、少なくとも１つの終端リブセットは主要リブの幅よりも大きい幅を有する終端リブセットをさらに含む、請求項１に記載の血管グラフト保護具。
【請求項７】
前記グラフト保護具の端部間に位置する少なくとも１つの終端リブセットであって、少なくとも１つの終端リブセットは主要リブの幅よりも大きい幅を有する終端リブセットをさらに含む、請求項４に記載の血管グラフト保護具。
【請求項８】
１つ以上の主要リブセット間に第１および第２の端部が互いの上または互いを超えて摺動するのを防止するように構成された連結システムをさらに含む、請求項１に記載の血管グラフト。
【請求項９】
各主要リブセット間に各第１および第２の端部が互いの上または互いを超えて摺動するのを防止するように構成された連結システムをさらに含む、請求項１に記載の血管グラフト。
【請求項１０】
各主要リブセットおよび終端リブセット間に第１および第２の端部が互いの上または互いを超えて摺動するのを防止するように構成された連結システムをさらに含む、請求項６に記載の血管グラフト。
【請求項１１】
各主要リブセットおよび終端リブセット間に第１および第２の端部が互いの上または互いを超えて摺動するのを防止するように構成された連結システムをさらに含む、請求項７に記載の血管グラフト。
【請求項１２】
血管グラフト保護具であって、
軸方向スパインから発出している複数のセットの半円形状円周方向主要リブによって画定された中空円筒体であって、
各主要リブセットは円周方向の間隙によって分離された第１および第２の端部を有し、
各主要リブセットは軸方向の間隙によって隣接する主要リブセットから分離されている、中空円筒体と、
前記保護具の長さに沿って位置する１つ以上の終端リブセットであって、各終端リブは主要リブの幅よりも大きい幅を有する、終端リブセットと、
食い込んだ組織を切開するためのメスをガイドするように構成された、前記軸方向スパインの長さに沿ったガイドチャネルと、
主要および終端リブセットの１つ以上の端部に関連づけられ、かつ前記端部が互いの上または互いを超えて摺動するのを最小限にするように構成された連結システムと、
を含む、血管グラフト保護具。
【請求項１３】
前記軸方向の間隙は前記主要リブの幅の約０．５倍と約３倍との間にある、請求項１２に記載の血管グラフト。
【請求項１４】
前記軸方向スパインに沿って前記血管グラフト保護具を取り囲んでいる食い込んだ組織を切開することと、
前記食い込んだ組織から前記血管グラフト保護具を引き抜くことと、
を含む、請求項１に記載の血管グラフト保護具を除去する方法。
【請求項１５】
メスを前記ガイドチャネルに沿って滑らせることによって前記軸方向スパインに沿って前記血管グラフト保護具を取り囲んでいる食い込んだ組織を切開することと、
前記食い込んだ組織から前記血管グラフト保護具を引き抜くことと、
を含む、請求項１２に記載の血管グラフト保護具を除去する方法。
【発明の詳細な説明】
【技術分野】
【０００１】
（関連出願の相互参照）
本出願は、２０１７年６月３０日に出願された米国仮出願第６２／５２７，７９０号の優先権および利益を主張するものであり、その内容および開示全体が全ての目的のために参照により本明細書に組み込まれる。
【０００２】
本発明の分野。本明細書に開示および教示されている発明は一般に血管グラフト保護具に関し、より具体的には食い込んだ組織からの除去を容易にする血管グラフト保護具に関する。
【背景技術】
【０００３】
本明細書に開示および教示されている発明は食い込んだ組織からの除去を容易にする血管グラフト保護具に関する。
【発明の概要】
【０００４】
以下は本明細書に開示されている発明の様々な非限定的実施形態の概要である。
【０００５】
軸方向スパインから発出している複数のセットの半円形状円周方向主要リブによって画定された中空円筒体を含み、各主要リブセットは円周方向の間隙によって分離された第１および第２の端部を有する血管グラフト保護具。
【０００６】
軸方向スパインから発出している複数のセットの半円形状円周方向主要リブによって画定された中空円筒体であって、各主要リブセットは円周方向の間隙によって分離された第１および第２の端部を有する中空円筒体と、隣接する主要リブを分離する軸方向の間隙とを含む血管グラフト保護具。
【０００７】
軸方向スパインから発出している複数のセットの半円形状円周方向主要リブによって画定された中空円筒体であって、各主要リブセットは円周方向の間隙によって分離された第１および第２の端部を有する中空円筒体と、隣接する主要リブを分離する軸方向の間隙であって、隣接する主要リブセットを分離する軸方向の間隙は主要リブの幅の約０．５倍と約３倍との間の軸方向長さを有する軸方向の間隙とを含む血管グラフト保護具。
【０００８】
軸方向スパインから発出している複数のセットの半円形状円周方向主要リブによって画定された中空円筒体であって、各主要リブセットは円周方向の間隙によって分離された第１および第２の端部を有する中空円筒体と、隣接する主要リブを分離する軸方向の間隙と、グラフト保護具の各端部にある終端リブセットであって、各終端リブセットは主要リブの幅よりも大きい幅を有する終端リブセットとを含む血管グラフト保護具。
【０００９】
軸方向スパインから発出している複数のセットの半円形状円周方向主要リブによって画定された中空円筒体であって、各主要リブセットは円周方向の間隙によって分離された第１および第２の端部を有する中空円筒体と、メスをガイドするように構成された軸方向スパインの長さに沿ったガイドチャネルとを含む血管グラフト保護具。
【００１０】
軸方向スパインから発出している複数のセットの半円形状円周方向主要リブによって画定された中空円筒体であって、各主要リブセットは円周方向の間隙によって分離された第１および第２の端部を有する中空円筒体と、グラフト保護具の端部間に位置する少なくとも１つの終端リブセットであって、少なくとも１つの終端リブセットは主要リブの幅よりも大きい幅を有するリブセットとを含む血管グラフト保護具。
【００１１】
軸方向スパインから発出している複数のセットの半円形状円周方向主要リブによって画定された中空円筒体であって、各主要リブセットは円周方向の間隙によって分離された第１および第２の端部を有する中空円筒体と、隣接する主要リブを分離する軸方向の間隙と、グラフト保護具の各端部にある終端リブセットおよびグラフト保護具の端部間に位置する少なくとも１つの終端リブセットであって、各終端リブセットは主要リブの幅よりも大きい幅を有する終端リブセットとを含む血管グラフト保護具。
【００１２】
軸方向スパインから発出している複数のセットの半円形状円周方向主要リブによって画定された中空円筒体であって、各主要リブセットは円周方向の間隙によって分離された第１および第２の端部を有する中空円筒体と、１つ以上の主要リブセット間に第１および第２の端部が互いの上または互いを超えて摺動するのを防止するように構成された連結システムとを含む血管グラフト保護具。
【００１３】
軸方向スパインから発出している複数のセットの半円形状円周方向主要リブによって画定された中空円筒体であって、各主要リブセットは円周方向の間隙によって分離された第１および第２の端部を有する中空円筒体と、各主要リブセット間に各第１および第２の端部が互いの上または互いを超えて摺動するのを防止するように構成された連結システムとを含む血管グラフト保護具。
【００１４】
軸方向スパインから発出している複数のセットの半円形状円周方向主要リブによって画定された中空円筒体であって、各主要リブセットは円周方向の間隙によって分離された第１および第２の端部を有する中空円筒体と、グラフト保護具の端部間に位置する少なくとも１つの終端リブセットであって、主要リブの幅よりも大きい幅を有する少なくとも１つの終端リブセットと、各主要リブセットおよび終端リブセット間に、第１および第２の端部が互いの上または互いを超えて摺動するのを防止するように構成された連結システムとを含む血管グラフト保護具。
【００１５】
軸方向スパインから発出している複数のセットの半円形状円周方向主要リブによって画定された中空円筒体であって、各主要リブセットは円周方向の間隙によって分離された第１および第２の端部を有する中空円筒体と、隣接する主要リブを分離する軸方向の間隙と、グラフト保護具の各端部にある終端リブセットおよびグラフト保護具の端部間に位置する少なくとも１つの終端リブセットであって、各終端リブセットは主要リブの幅よりも大きい幅を有する終端リブセットと、各主要リブセットおよび終端リブセット間に、第１および第２の端部が互いの上または互いを超えて摺動するのを防止するように構成された連結システムとを含む血管グラフト保護具。
【００１６】
軸方向スパインから発出している複数のセットの半円形状円周方向主要リブによって画定された中空円筒体であって、各主要リブセットは円周方向の間隙によって分離された第１および第２の端部を有し、各主要リブセットは軸方向の間隙によって隣接する主要リブセットから分離されている中空円筒体と、保護具の長さに沿って位置する１つ以上の終端リブセットであって、各終端リブは主要リブの幅よりも大きい幅を有する１つ以上の終端リブセットと、食い込んだ組織を切開するためのメスをガイドするように構成された、軸方向スパインの長さに沿ったガイドチャネルと、主要および終端リブセットの１つ以上の端部に関連づけられ、かつ当該端部が互いの上または互いを超えて摺動するのを最小限にするように構成された連結システムとを含む血管グラフト保護具。
【００１７】
軸方向スパインから発出している複数のセットの半円形状円周方向主要リブによって画定された中空円筒体であって、各主要リブセットは円周方向の間隙によって分離された第１および第２の端部を有し、各主要リブセットは軸方向の間隙によって隣接する主要リブセットから分離されている中空円筒体と、保護具の長さに沿って位置する１つ以上の終端リブセットであって、各終端リブは主要リブの幅よりも大きい幅を有する１つ以上の終端リブセットと、食い込んだ組織を切開するためのメスをガイドするように構成された、軸方向スパインの長さに沿ったガイドチャネルと、主要および終端リブセットの１つ以上の端部に関連づけられ、かつ当該端部が互いの上または互いを超えて摺動するのを最小限にするように構成された連結システムとを含み、軸方向の間隙は主要リブの幅の約０．５倍と約３倍との間にある、血管グラフト保護具。
【００１８】
軸方向スパインに沿って血管グラフト保護具を取り囲んでいる食い込んだ組織を切開することと、食い込んだ組織から血管グラフト保護具を引き抜くこととを含む、血管グラフト保護具を除去する方法。
【００１９】
メスをガイドチャネルに沿って滑らせることによって軸方向スパインに沿って血管グラフト保護具を取り囲んでいる食い込んだ組織を切開することと、食い込んだ組織から血管グラフト保護具を引き抜くこととを含む、請求項１２に記載の血管グラフト保護具を除去する方法。
【００２０】
以下の図は本明細書の一部をなしており、本発明の特定の態様をさらに実証するために含まれている。本発明は、本明細書に提供されている具体的な実施形態の詳細な説明と組み合わせてこれらの図の１つ以上を参照することによってより良く理解することができる。
【図面の簡単な説明】
【００２１】
【図１】左心室補助装置と共に使用されている従来の血管グラフト保護具を示す。
【図２】左心室補助装置と共に使用されている従来の血管グラフト保護具を示す。
【図３】本開示の発明に係る血管グラフト保護具を示す。
【図４】図３に示されている血管グラフト保護具の別の図を示す。
【図５】本開示の発明に係る血管グラフト保護具の別の実施形態の拡大図を示す。
【発明を実施するための形態】
【００２２】
本明細書に開示されている発明は様々な修正形態および他の形態が可能であり、数個の具体的な実施形態のみが図面に例として示され、かつ以下に詳細に説明されている。これらの具体的な実施形態の図および詳細な説明は、本発明の概念の広さすなわち範囲または添付の特許請求の範囲をいかなる方法によっても限定することを意図していない。それどころか、図および詳細な説明は、当業者に本発明の概念を示し、かつ当業者が本発明の概念を形にして使用するのを可能にするために提供されている。
【００２３】
上に記載した図および以下の具体的な構造および機能に関する説明は、出願人らが発明したものの範囲または添付の特許請求の範囲を限定するために提供されているものではない。それどころか、図および説明は特許権保護が求められる本発明を作製して使用することをあらゆる当業者に教示するために提供されている。当業者であれば、明確性および理解のために本発明の商業用実施形態の全ての特徴が記載または図示されてはいないことを理解しているであろう。当業者であれば、本発明の態様が組み込まれている実際の商業用実施形態の開発は、商業用実施形態のための本開発者の最終目的を達成するために数多くの実施特有の決定を必要とすることも理解しているであろう。そのような実施特有の決定としては、具体的な実装、位置および時と場合によって異なり得る、システム関連、ビジネス関連、政府関連および他の制約の遵守を挙げることができるが、恐らくそれらに限定されない。開発者の努力は絶対的な意味で複雑かつ時間のかかるものになり得るが、そのような努力はそうは言っても本開示の利益を有する当業者には日常的な仕事であろう。本明細書に開示および教示されている発明は数多くの様々な修正形態および他の形態が可能であることを理解しなければならない。最後に、限定されるものではないが「一」などの単数の使用は項目の数を限定することは意図していない。また、限定されるものではないが「上」、「下」、「左」、「右」、「上側」、「下側」、「下に」、「上に」および「側」などの関係語は、図の具体的な参照における明確性のために本明細書では使用されており、本発明の範囲または添付の特許請求の範囲を限定することは意図していない。
【００２４】
出願人は、食い込んだ組織からの除去を容易にするように構成された軸方向スパインから発出している複数の半円形状円周方向リブを含む柔軟な血管グラフト保護具を発明した。「半円形」によって出願人は、当該リブが完全な円を形成しておらず、それどころか「Ｃ」という文字とよく似た形状をなしていることを意味する。必須ではないが当該リブは、当該リブの約０．５倍と約３倍との間の厚さの距離だけ１つのリブが次のリブから離間されていることが好ましい。好ましくは、当該リブは１倍のリブ厚で離間されている。いくつかの実施形態では、本保護具の一方または両方の端部は、主要リブの幅よりも大きいリブ幅を有する終端リブを含む。いくつかの実施形態では、本保護具の長さを短くするのを容易にするために１つ以上の終端リブが当該端部間に本保護具の長さに沿って分散されていてもよい。言い換えると、分散された終端リングを有する保護具は、終端リングの遠位端で短くすることができる。当然ながら、終端リングが必要でない場合は、保護具のどの実施形態も半円形リングの遠位で軸方向スパインを切断することによって短くすることができる。
【００２５】
本保護具の一方または両方の端部は、本保護具を１つ以上の構造に固定するためにナットとスリーブの組み合わせなどのコネクタを含んでいてもよい。例えば、限定されるものではないが、本保護具の実施形態は一方の端部に、当該グラフトを左心室補助装置の流出カニューレに固定するように構成されたナットおよび被覆スリーブを含んでいてもよい。あるいは、本保護具はいずれの端部にもコネクタを含んでいてなくてもよい。
【００２６】
多くの場合、左心室装置の修復が必要とされる場合などに血管グラフトを患者から除去する必要がある。主要および終端リブ（使用される場合）を含む半円形リブは、食い込んだ組織すなわち取り囲んでいる組織からの本保護具の除去を可能にするように構成されている。本発明のいくつかの実施形態では、軸方向スパインは好ましくは、当該スパインの中心の周りに配置され、かつメスをガイドするように構成された軸方向チャネルを含んでいてもよい。メスは当該チャネルに係合してスパインの長さに沿って取り囲んでいる組織を切断することができる。その後、単に本保護具を食い込んだ組織すなわち取り囲んでいる組織から引っ張ることによって本保護具を当該グラフトの周りから除去してもよい。ここで、本保護具の柔軟性および当該リブの半円形構成により本保護具の容易な除去を可能にすることが理解されるであろう。本保護具は、限定されるものではないが、高密度ポリエチレン（ＨＤＰＥ）などの多種多様な埋め込み可能な材料から作製されていてもよい。当該材料は、取り囲まれたグラフトを損傷することなく食い込んだ組織すなわち取り囲んでいる組織からの本保護具の除去を可能にするのに十分な柔軟性を有することが望ましい。
【００２７】
次に図を参照すると、図１および図２は、左心室補助装置すなわちＬＶＡＤとの関連で従来の血管グラフト保護具を示す。図１は、補助装置１０２が左心室１０４に外科的に挿入されているヒトの心臓１００を示す。図示されている補助装置１０２は、テキサス州ヒューストンのＲｅｌｉａｎｔＨｅａｔ社から入手可能なＡＶＡＤ（商標）左心室補助装置などの心室内補助装置であることが理解されるであろう。心室内補助装置１０２が図示されているが、本明細書に開示されている血管グラフト保護具は、ＬＶＡＤまたは一般に心臓装置との使用に限定されない。血管グラフト１０６は心室内補助装置１０２を大動脈（図示せず）と接続するものであることが理解されるであろう。従来の血管グラフト保護具１０８は、心室内補助装置１０２から流量プローブ１１０まで血管グラフト１０６を覆うか、包含するか、または実質的に取り囲んだ状態で示されている。
【００２８】
図２に示すように、従来の血管グラフト保護具１０８は連結されたリブ２０２を含む。図示のように、各リブはブリッジ２０４によって隣接するリブに連結されている。さらに、リブ２０２は完全な円であり、これは血管グラフト１０６を完全に包むか覆っている。時間と共に組織が血管グラフト保護具１０８構造の中に侵入するため、保護具１０８の除去には広範囲な外科的処置が必要となることが理解されるであろう。
【００２９】
図３および図４は、本発明の態様を具体化している血管グラフト保護具３００を示す。血管グラフト保護具３００は一般に、その軸方向長さに沿って軸方向スパイン３０２を有する円筒体を含む。複数の円周方向リブ３０２ｂおよび３０４ｂがスパイン３０２から発出していてもよい。各リブ３０４ａおよび３０４ｂは半円形すなわちＣ字形状の構造を形成している（図４を参照）。言い換えると、各リブセット３０４ａおよび３０４ｂは完全な円を形成していない。図４に示すように、軸方向スロットは各リブ３０４ａ端部を他方のリブ３０４ｂ端部から分離している。
【００３０】
各リブセット３０４は、必ずしもではないが好ましくは保護具３００の長さに沿って実質的に一定であるリブ幅を有する。各リブセット３０４はリブスロット３０６によって隣接するリブセット３０４から離間されている。上で考察したように、必須ではないが、リブスロット３０６は当該リブ幅の約０．５倍と約３倍との間の幅を有することが好ましい。リブスロット３０６は保護具３００の柔軟性を高め、かつ保護具３００内への組織の食い込みを可能にする。
【００３１】
軸方向スパイン３０２に関連づけられたメスガイド３０８も図３に示されている。好ましくは、ガイド３０８はスパイン３０２内に形成されたチャネルであり、かつ好ましくは軸方向スパイン３０２の中心の周りにある。当然のことながら、保護具３００が除去を必要とする場合、メスを使用してガイド３０８に沿って刃を走らせることによって食い込んだ組織を切開することができることが理解されるであろう。スパイン３０８に沿って食い込んだ組織を切開したら、取り囲んでいる組織を含まない保護具３００を引っ張ることによって保護具３００を除去することができる。リブセット３０４の半円形構成および保護具３００の柔軟性により、患者から切り取らなければならない従来の保護具１０８よりも容易に保護具３００を除去することができる。
【００３２】
図３および図４にはコネクタ３１０も示されている。コネクタ３１０はナット（図示せず）およびスリーブ３１２を含んでいてもよい。保護具３００の除去中に、当該スリーブをナットから離すように動かし、ナットを緩めて保護具３００を例えば装置カニューレ２０４（図２を参照）から除去することができる。上で考察したように、本発明の実施形態はコネクタ３１０を両方または一方の端部に含んでいてもよく、あるいはどちらの端部にも含んでいなくてもよい。
【００３３】
本発明の他の実施形態は、保護具３００の長さに沿って配置された１つ以上の終端リブ３１４を含んでいてもよい。例えば、限定のためではないが、保護具３００の各端部は終端リブ３１４を含んでいてもよい。なおさらに、１つ以上のさらなる終端リブ３１４が保護具３００の長さに沿って分散されていてもよい。終端リブ３１４は本保護具を流量プローブ１１０などの構造または構成要素に接続する際に有利であり得る。また、軸方向スパイン３０２を終端リブ３１４の遠位で切断することによって保護具３００の全長を調整することができる。軸方向スパイン３０２を主要リブ３０４の遠位で切断することによって保護具３０２の長さを調整できることも理解されるであろう。
【００３４】
保護具３００のいくつかの実施形態はリブ連結システム５０２から恩恵を受けることができる。保護具３００の目的の１つは、取り囲まれたグラフト１０６が隣接する臓器または身体構造によって押し潰されたり変形したりすることから防止または保護することであることが理解されるであろう。連結システム５０２により、リブセット３０４ａおよび３０４ｂ（または終端リブセット）の端部を構造上連結させて互いの上または互いを超えて摺動しないようにすることができる。連結システム５０２は、当該リブ端部が互いの上または互いを超えて摺動するのを防止するかまたは最小限にする凸状および凹状の嵌合対、タングおよび溝の嵌合対または他の嵌合対を含んでもよい。
【００３５】
上記本発明の１つ以上の態様を利用する他の実施形態およびさらなる実施形態を出願人の発明の趣旨から逸脱することなく考案することができる。さらに、開示されている方法および実施形態の変形形態を作り出すために、本システムの製造および組み立ての各種方法および方法の実施形態ならびに位置の詳細を互いに組み合わせて含めることができる。単一の要素の考察は複数の要素を含むことができ、その逆も同様である。
【００３６】
工程の順番は、特に具体的に限定されていなければ様々な順序で存在し得る。本明細書に記載されている各種工程を他の工程と組み合わせたり、規定の工程の間に挿入したり、および／または複数の工程に分割したりすることができる。同様に、要素を機能について説明してきたが、別個の構成要素として具体化したり、複数の機能を有する構成要素にするように組み合わせたりすることができる。
【００３７】
本発明を好ましい実施形態および他の実施形態との関連で説明してきたが、本発明の全ての実施形態について説明したわけではない。記載されている実施形態に対する明らかな修正形態および変形形態が当業者に利用可能である。開示されている実施形態および未開示の実施形態は、本出願人によって考えられ得る本発明の範囲または適用性を限定または制限することは意図しておらず、それどころか特許法に準拠して、出願人らは以下の特許請求の範囲または均等物の範囲内に含まれる全てのそのような修正形態および改良形態を完全に保護することを意図している。
【図１】
2020526363.tif 000003
【図２】
2020526363.tif 000004
【図３】
2020526363.tif 000005
【図４】
2020526363.tif 000006
【図５】
2020526363.tif 000007
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
血管グラフト保護具であって、
軸方向スパインから発出している複数のセットの半円形状円周方向主要リブによって画定され、かつ血管グラフトを外側から取り囲むように構成された中空円筒体であって、各主要リブセットは円周方向の間隙によって分離された第１および第２の端部を有する、中空円筒体
を含む、血管グラフト保護具。
【請求項２】
隣接する主要リブを分離する軸方向の間隙をさらに含む、請求項１に記載の血管グラフト保護具。
【請求項３】
隣接する主要リブセットを分離する軸方向の間隙は前記主要リブの幅の０．５倍と３倍との間の軸方向長さを有する、請求項２に記載の血管グラフト保護具。
【請求項４】
前記グラフト保護具の各端部に終端リブセットであって、各終端リブセットは主要リブの幅よりも大きい幅を有する、終端リブセット
をさらに含む、請求項２に記載の血管グラフト保護具。
【請求項５】
メスをガイドするように構成された、前記軸方向スパインの長さに沿ったガイドチャネルをさらに含む、請求項１に記載の血管グラフト保護具。
【請求項６】
前記グラフト保護具の端部間に位置する少なくとも１つの終端リブセットであって、前記少なくとも１つの終端リブセットは主要リブの幅よりも大きい幅を有する、終端リブセット
をさらに含む、請求項１に記載の血管グラフト保護具。
【請求項７】
１つ以上の主要リブセット間に第１および第２の端部が互いの上または互いを超えて摺動するのを防止するように構成された連結システムをさらに含む、請求項１に記載の血管グラフト保護具。
【請求項８】
各主要リブセットおよび終端リブセット間に第１および第２の端部が互いの上または互いを超えて摺動するのを防止するように構成された連結システムをさらに含む、請求項６に記載の血管グラフト保護具。
【請求項９】
前記軸方向スパインに対向して位置し、かつ各主要リブに関連づけられた円周方向の間隙によって画定された軸方向チャネルをさらに含む、請求項１に記載の血管グラフト保護具
【請求項１０】
血管グラフト保護具であって、
血管グラフトの周りの外側に配置されるように構成された中空円筒体であって、前記中空円筒体は軸方向スパインから発出している複数のセットの半円形状円周方向主要リブによって画定され、各主要リブセットは円周方向の間隙によって分離された第１および第２の端部を有し、各主要リブセットは軸方向の間隙によって隣接する主要リブセットから分離されている、中空円筒体と、
前記保護具の長さに沿って位置する１つ以上の終端リブセットであって、各終端リブは主要リブの幅よりも大きい幅を有する、終端リブセットと、
食い込んだ組織を切開するためのメスをガイドするように構成された、前記軸方向スパインの長さに沿ったガイドチャネルと、
主要および終端リブセットの１つ以上の端部に関連づけられ、かつ前記端部が互いの上または互いを超えて摺動するのを最小限にするように構成された連結システムと、
を含む、血管グラフト保護具。
【請求項１１】
前記軸方向の間隙は前記主要リブの幅の０．５倍と３倍との間にある、請求項１０に記載の血管グラフト保護具。
【請求項１２】
前記軸方向スパインに対向して位置し、かつ各主要リブに関連づけられた円周方向の間隙によって画定された軸方向チャネルをさらに含む、請求項１０に記載の血管グラフト保護具
【請求項１３】
前記軸方向スパインに沿って前記血管グラフト保護具を取り囲んでいる食い込んだ組織を切開することと、
前記食い込んだ組織から前記血管グラフト保護具を引き抜くことと、
を含む、請求項１に記載の血管グラフト保護具を除去する方法。
【請求項１４】
メスを前記ガイドチャネルに沿って滑らせることによって前記軸方向スパインに沿って前記血管グラフト保護具を取り囲んでいる食い込んだ組織を切開することと、
前記食い込んだ組織から前記血管グラフト保護具を引き抜くことと、
を含む、請求項１３に記載の血管グラフト保護具を除去する方法。
【国際調査報告】
2020526363.tif 000008